(57)【要約】【課題】任意位置、任意視認方向、すなわち不特定多数の観客に対して、画素毎の発光表示素子発光光度のばらつきを低減させて、映像表示品位であるざらつき感を低減させる映像表示装置を提供することを目的とする。【解決手段】発光表示素子４ごとの光度を補正する光度補正データを記憶する記憶手段６と、光度補正データに基づいて発光表示素子４を所定の光度にする発光表示素子駆動データを生成する演算制御ユニット７と、発光表示素子駆動データに基づいて発光表示素子４を駆動する駆動手段５とを備えている。光度補正データは複数の視認方向における補正データを含み、演算制御ユニット７は、コントロールセンター１３からの視認方向設定情報Ｃｓｉｇに基づいて、該当する視認方向における補正データを使用して発光表示素子駆動データを生成する。【選択図】図１
2011008002.tif 000002
【特許請求の範囲】
【請求項１】
複数の発光表示素子が配列された表示面を有し、コントロールセンターからの情報に基づいて映像を表示する映像表示装置であって、
前記発光表示素子ごとの発光光度を補正する光度補正データを記憶する記憶手段と、前記光度補正データに基づいて前記発光表示素子を所定の発光光度にする発光表示素子駆動データを生成する演算制御ユニットと、前記発光表示素子駆動データに基づいて前記発光表示素子を駆動する駆動手段とを備え、
前記光度補正データは複数の視認方向における補正データを含み、
前記演算制御ユニットは、前記コントロールセンターからの視認方向設定情報に基づいて、該当する視認方向における補正データを使用して前記発光表示素子駆動データを生成することを特徴とした映像表示装置。
【請求項２】
前記光度補正データは、当該映像表示装置の水平方向及び垂直方向の補正データを含み、前記演算制御ユニットは、前記視認方向設定情報に基づいて該当する水平方向及び垂直方向の補正データを平均した平均補正データを使用して前記発光表示素子駆動データを生成することを特徴とした請求項１記載の映像表示装置。
【請求項３】
前記表示面はマトリクス状に配置された複数の表示モジュールを有し、前記表示モジュールはマトリクス状に配置された複数の表示パネルを有し、前記表示パネルはマトリクス状に配置された複数の前記発光表示素子を有し、
前記表示パネルはそれぞれ前記記憶手段を有し、前記表示モジュールはそれぞれ前記演算制御ユニットを有し、前記演算制御ユニットは前記表示パネルにおける前記発光表示素子の全てに対して、同一の視認方向における補正データを使用して前記発光表示素子駆動データを生成することを特徴とした請求項１または２に記載の映像表示装置。
【請求項４】
前記演算制御ユニットは、前記複数の視認方向における補正データを所定の周期で変更し、それぞれの視認方向における補正データに基づいて前記発光表示素子を所定の発光光度にする発光表示素子駆動データを生成することを特徴とした請求項１乃至３のいずれか１項に記載の映像表示装置。
【請求項５】
複数の発光表示素子が配列された表示面を有し、コントロールセンターからの情報に基づいて映像を表示する映像表示装置における前記発光表示素子ごとの発光光度を補正する光度補正データを生成する光度補正データ生成装置であって、
前記発光表示素子が複数配列され、前記光度補正データを記憶する記憶手段を有する表示パネルを保持する保持手段と、前記発光表示素子の発光光度を測定する光度測定手段と、前記保持手段または前記光度測定手段を移動させる移動手段と、前記移動手段を制御する移動制御手段と、前記光度測定手段の測定した発光光度と所定の目標光度との比に基づいて光度補正データを演算する演算手段とを備えた光度補正データ生成装置。
【請求項６】
複数の発光表示素子が配列された表示面を有し、コントロールセンターからの情報に基づいて映像を表示する映像表示装置における前記発光表示素子ごとの発光光度を補正する光度補正データを生成する光度補正データ生成方法であって、
前記発光表示素子が複数配列され前記光度補正データを記憶する記憶手段を有する表示パネルを保持する保持手段と前記発光表示素子の発光光度を測定する光度測定手段とを所定の相対位置に移動させる手順と、前記発光表示素子の発光光度を光度測定手段により測定する手順と、前記光度測定手段の測定した発光光度と所定の目標光度との比に基づいて光度補正データを演算する手順とを有する光度補正データ生成方法。
【発明の詳細な説明】
【技術分野】
【０００１】
この発明は、ＬＥＤや蛍光表示管等の発光表示素子が画素として配列されて表示面を構成する映像表示装置に関し、特に、画素毎の発光表示素子における発光光度のばらつきを低減して、表示面を全域に渡り均一な輝度で表示する制御技術並びに光度補正データの生成技術に関するものである。
【背景技術】
【０００２】
従来の映像表示装置は、ＬＥＤ（発光ダイオード）をマトリックス状に配置した各ＬＥＤユニットに搭載された不揮発性メモリ、ドライバＩＣおよび制御ＩＣと、各ＬＥＤユニットの制御ＩＣに接続された制御装置を備えており、あらかじめ不揮発性メモリに格納している輝度補正用パラメータ（ＬＥＤの配光特性や、ＬＥＤユニットのサイズ、ＬＥＤのドットピッチ、ＬＥＤ表示機のサイズ、見上げる角度）に基づいて、映像表示装置のサイズが大きくなり、視認位置からの上下または左右の端部までの角度が大きく異なる場合においても、最適な発光輝度（発光光度）を演算して、全体としての輝度ムラをなくし、映像品質を向上させていた。
【先行技術文献】
【特許文献】
【０００３】
【特許文献１】特開２００３−２７１１０４号公報（図１）
【発明の概要】
【発明が解決しようとする課題】
【０００４】
しかしながら、従来の映像表示装置では、特定の視認地点、すなわち、一人の観客から見る輝度が均一に見える機能を提供するものであり、例えば、競馬場などの公営競技場、野球場、サッカー場等のスタジアムでは視認点が不特定であり、不特定多数の観衆領域に対して輝度を均一化させて表示するのが出来ないという問題があった。
また、発光表示素子は、全ての画素を同じ条件で駆動させた場合、各々の発光表示素子が有する発光光度のばらつきにより、画面上の表示が均一にならず画面全域にわたりざらついて見えてしまうという問題があった。このような問題を防ぐためには、発光表示素子を駆動する素子駆動手段において、各々の発光表示素子が有する発光光度のばらつきを吸収するための発光表示素子の光度補正を実施する必要性があるが、従来の映像表示装置では、上記と同様に、特定の視認地点である一人の観客に対して、画素毎の発光表示素子における発光光度のばらつき、つまり、映像表示品位であるざらつき感を低減させて映像表示する事が出来ないという問題があった。
【０００５】
この発明は、任意位置、任意視認方向、すなわち不特定多数の観客に対して、画素毎の発光表示素子における発光光度のばらつきを低減させて、映像表示品位であるざらつき感を低減させる映像表示装置を提供することを目的とする。
【課題を解決するための手段】
【０００６】
この発明に係る映像表示装置は、発光表示素子ごとの発光光度を補正する光度補正データを記憶する記憶手段と、光度補正データに基づいて発光表示素子を所定の発光光度にする発光表示素子駆動データを生成する演算制御ユニットと、発光表示素子駆動データに基づいて発光表示素子を駆動する駆動手段とを備えている。光度補正データは複数の視認方向における補正データを含み、演算制御ユニットは、コントロールセンターからの視認方向設定情報に基づいて、該当する視認方向における補正データを使用して発光表示素子駆動データを生成する。
【発明の効果】
【０００７】
この発明に係る映像表示装置は、任意位置、任意視認方向、すなわち不特定多数の観客に対して、画素毎の発光表示素子における発光光度のばらつきを低減させて、映像表示品位であるざらつき感を低減させることができる。
【図面の簡単な説明】
【０００８】
【図１】この発明の実施の形態１における映像表示装置の表示モジュールの構成を示す図である。
【図２】実施の形態１における映像表示装置の画面配置を示す図である。
【図３】図２の映像表示装置の視認方向角度（水平方向）を示す図である。
【図４】図２の映像表示装置の視認方向角度（垂直方向）を示す図である。
【図５】図２の映像表示装置の光度補正データのメモリマッピング例（水平方向）を示す図である。
【図６】図２の映像表示装置の光度補正データのメモリマッピング例（垂直方向）を示す図である。
【図７】図２の映像表示装置における光度補正データの生成方法の概念図である。
【図８】図２の映像表示装置の表示面輝度の目標値を示す図である。
【図９】図２の映像表示装置における表示素子の指向特性を示す図である。
【図１０】図２の映像表示装置における視認角度の変更を説明する図である。
【図１１】図２の映像表示装置の視認角度を説明する図である。
【図１２】この発明の実施の形態２における映像表示装置の光度補正データの動的変更順番を示す図である。
【図１３】この発明の実施の形態３における映像表示装置の光度補正データの生成方法を説明する図である。
【図１４】実施の形態３における映像表示装置の光度補正データの生成装置の構成を示す図である。
【図１５】実施の形態３における映像表示装置の発光光度指向特性を説明する図である。
【図１６】実施の形態３における映像表示装置の光度補正データの生成装置の他の構成を示す図である。
【発明を実施するための形態】
【０００９】
実施の形態１．
図１はこの発明の実施の形態１における映像表示装置の表示モジュールの構成を示す図であり、図２は映像表示装置の画面配置を示す図である。映像表示装置１は、複数の表示モジュール２をマトリックス状に配置、接続させて構成し、表示モジュール２は複数の表示パネル３をマトリックス状に配置、接続させて、制御ユニット７と共に構成し、表示パネル３は複数の発光表示素子４をマトリックス状に配置、接続させて構成し、画像の表示面を構成する。
【００１０】
映像表示装置１はコントロールセンター１３に接続される。映像表示装置１は、設定情報信号線１５を介して設定命令等の設定情報Ｃｓｉｇを受け、画像信号データ信号線１４を介して映像信号データＤａｔａを受けて、映像を表示する。
【００１１】
図２の破線円２０で示す表示モジュール２の表示面は、例えば破線円２１で示す表示パネル３を１６個配置して構成される。図１に示すように表示モジュール２は４行４列に配置された１６個の表示パネル３ａ１乃至３ａ４（第１行）、３ｂ１乃至３ｂ４（第２行）、３ｃ１乃至３ｃ４（第３行）、３ｄ１乃至３ｄ４（第４行）を有している。
【００１２】
表示パネル３には、複数個（例えば画素配列１６ドット×１６ドット等）のＬＥＤや蛍光表示管等からなる発光表示素子４と、これを駆動するための表示素子ドライバ５と、発光表示素子４の画素毎の発光光度のばらつきの補正に用いられる光度補正データを記憶する記憶手段である不揮発性メモリ６を備えている。光度補正データは、各表示パネル３に含まれる画素数（例えば１６ドット×１６ドット等）に対応したデータ量を有する。
【００１３】
制御ユニット７は、マイコン８と、補正値メモリ９と、映像メモリ１０と、演算制御器１１とを備える。制御ユニット７は、コントロールセンター１３から設定情報Ｃｓｉｇと映像信号データＤａｔａを受けて、設定情報Ｃｓｉｇに基づいて発光表示素子４ごとに発光光度が補正された発光表示素子駆動データを生成し、それぞれの表示パネル３に送信する。
【００１４】
マイコン８は、映像表示装置１の外部に配置され、上位にあるコントロールセンター１３からの設定情報Ｃｓｉｇを受けて、表示モジュール２の表示機能の統括制御や、表示パネル３の不揮発性メモリ６との光度補正データの送受信等の通信制御を行う。
【００１５】
補正値メモリ９は、例えばＲＡＭであり、表示モジュール２の全画素数に対応するデータ量を有する光度補正データが記憶される。補正値メモリ９へ一時的に記憶される光度補正データは、マイコン８により、演算制御器１１を介して、不揮発性メモリ６から読み出されて展開されたデータである。発光表示素子４の発光光度のばらつきを吸収するための光度補正は、全画素すなわち全発光表示素子４にわたって行われる。全ての表示パネル３は、それぞれ不揮発性メモリ６を有しており、それぞれの不揮発性メモリ６に保存された光度補正データは全て補正値メモリ９に展開される。
【００１６】
映像メモリ１０は、例えばＲＡＭであり、表示モジュール２に含まれる全画素数に対応するデータ量を有する映像信号データＤａｔａがコントロールセンター１３から演算制御器１１を介して入力され、この映像信号データＤａｔａを一時的に記憶する。
【００１７】
演算制御器１１は、発光表示素子４の発光光度のばらつきを吸収する為に、映像メモリ１０に記憶された映像信号データＤａｔａおよび補正値メモリ９に記憶された光度補正データを、表示パネル３上のすべての発光表示素子４の発光光度が一定となるよう演算し、表示素子ドライバ５を駆動するためのドライバ駆動データを生成する。
【００１８】
次に発光光度のばらつきを吸収する為の演算例を説明する。例えば発光表示素子４の１つであるＡ素子は発光光度が“ａ”であり、他のＢ素子は発光光度が“ｂ”である場合を考える。表示パネル３における発光表示素子４の目標光度が“ｃ”であり、Ａ素子が目標光度に対しｙａ倍、Ｂ素子が目標光度に対してｙｂ倍、の場合には、Ａ素子に関しては、１／ｙａ倍の補正を実施する必要があり、Ｂ素子に関しては、１／ｙｂ倍の補正を実施する必要がある。具体的にはＡ素子の補正値データＸａ、Ｂ素子の補正値データＸｂを１０ビット（１０２４最大）の演算データとして、１０ビットの２進数を１０進数にした数値の１／２を基準すると、すなわち５１２を補正＝１倍（補正なし）の条件とすると、Ａ素子、Ｂ素子の発光光度を“ｃ”にするには、それぞれ（１）式、（２）式を満たせばよい。
ｃ＝ａ×Ｘａ／５１２      ・・・（１）
ｃ＝ｂ×Ｘｂ／５１２      ・・・（２）
【００１９】
したがって（１）式、（２）式を変形し、補正値データＸａ、Ｘｂは以下の（３）式、（４）式によって得られる。
Ｘａ＝ｃ／ａ×５１２      ・・・（３）
Ｘｂ＝ｃ／ｂ×５１２      ・・・（４）
例えば、Ａ素子が目標光度に対し１．５倍、Ｂ素子が目標光度に対し１／２倍の場合には、Ａ素子に関しては、１／１．５倍の補正を実施し、Ｂ素子に関しては、２倍の補正を実施する。この例では、補正値データＸａ、Ｘｂはそれぞれ３４１、１０２４になる。
【００２０】
演算制御器１１は、映像メモリ１０に記憶された映像信号データＤａｔａおよび補正値メモリ９に記憶された光度補正データから、所望の発光表示素子４を駆動するためのデータをそれぞれ同期したタイミングで読み出し、読み出した各データに演算を行うことにより所望の発光表示素子４を駆動するためのドライバ駆動データを生成し、対応するいずれかの表示パネル３へ送信する。この読み出し動作および演算動作は、発光表示素子４に対応する映像メモリ１０と補正値メモリ９のメモリアドレスを順次進めることにより、全ての発光表示素子４に対して行われる。これにより、映像表示装置１を構成する表示モジュール２内の全ての表示パネル３に含まれる全ての発光表示素子４に対する表示駆動が行われる。
【００２１】
このように構成された映像表示装置１において、発光表示素子４の光度補正データを、あらゆる視認方向、もしくは、複数の代表視認方向において収集した発光光度データを、視認方向が異なる複数の光度補正データに変換して、光度補正データを表示パネル３内の不揮発性メモリ６や制御ユニット７内の補正値メモリ９に記憶する。この光度補正データを使用し、発光表示素子４ごとに発光光度が補正された発光表示素子駆動データを生成し、発光表示素子４を制御することで、任意（所望）の複数の視認方向に対しても、発光表示素子４の画素毎の発光光度のばらつき補正を実施し、映像表示品位であるざらつき感を低減させることができる。
【００２２】
次に複数の光度補正データについて説明する。例えば、複数の光度補正データは発光表示素子４ごとの水平方向及び垂直方向の２次元視認方向のデータである。一般的な大型の映像表示装置の視認方向仕様として、例えば、水平方向については、左右方向に±６０°の仕様が提示され、垂直方向については、見上げ（マイナス表記とする）方向に−３０°、見下げ方向に＋１５°の仕様が提示される。この視認方向仕様を満たす範囲の光度補正データを準備する。複数の光度補正データは、例えば、図３および図４で示すように、上記視認方向仕様において１０°刻みで収集し、生成したものである。
【００２３】
表示パネル３が１６ドット×１６ドットの画素を有し、各画素がカラーの３色の発光表示素子４で構成される場合の光度補正データのメモリマッピング例を示す。図５は光度補正データにおける水平方向のメモリマッピング例を示す図であり、図６は光度補正データにおける垂直方向のメモリマッピング例を示す図である。光度補正データは各視認方向（角度）のアドレス領域に分け、全ドット毎の赤（Ｒ）、緑（Ｇ）、青（Ｂ）の光度補正データを規則的に配置する。１６ドット×１６ドットの画素は各色の発光表示素子４が２５６個あるので、一つの視認方向においてアドレスが７６８個存在する。水平方向の光度補正データのアドレスは、図５に示すようにＨ１からＨ９９８４まであり、垂直方向の光度補正データのアドレスは、図６に示すようにＶ１からＶ４６０８まである。
【００２４】
任意の視認方向における光度補正データの生成方法を、図７を用いて説明する。図７（ａ）は水平方向の光度補正データ及び垂直方向の光度補正データを合成する概念図であり、図７（ｂ）は図７（ａ）における水平方向及び垂直方向の交点座標における光度補正データの表示位置を示す図である。図７（ａ）の縦軸は垂直方向の角度を示し、横軸は水平方向の角度を示している。図７（ａ）の丸Ａ、丸Ｂ、丸Ｃに示したように水平方向及び垂直方向の交点における光度補正データはそれぞれの平均値として得られる。ここで水平方向及び垂直方向の交点における光度補正データを交点光度補正データ（水平方向、垂直方向）と表記する。丸Ａで示した水平方向＋４０°及び垂直方向＋２０°の視認方向における交点光度補正データは（３８４、４８２）であり、丸Ａで示した視認方向における光度補正データは平均を取って４３３となる。同様に丸Ｂで示した視認方向における光度補正データは２５６となり、丸Ｃで示した視認方向における光度補正データは４９７（小数点以下切り捨て）となる。なお、平均化の仕方は小数点以下切り捨てに限らず、四捨五入、切り上げでもよい。また、平均化に限らず重み係数をつけて合成してもよい。
【００２５】
また、各交点における絶対的な素子光度の目標値はあらかじめ決めておく。その上で、垂直視認方向、水平視認方向の光度補正データは導出される。光度補正データの導出に当たり、絶対的な発光光度の目標値は、映像表示装置１の面輝度として与えられており、この面輝度は表示パネル３に搭載される複数の発光表示素子４を面として計測するものであり、ｃｄ（カンデラ）／ｍ２の単位として一般的に用いられている。映像表示装置１における面輝度の一般的な仕様としては正面で５０００ｃｄ／ｍ２などの仕様が与えられ、前述した視認方向の最大仕様においては、その半減値である２５００ｃｄ／ｍ２などの仕様が用いられている。したがって、目標光度は図８に示す映像表示装置１の面輝度として決定することになる。映像表示装置１の面輝度は、中心を５０００ｃｄ／ｍ２とし、周辺視認方向の角度に移行していくに従い、２５００ｃｄ／ｍ２へと直線的に輝度が低下していくような相対比率にて決定する。
【００２６】
ここで、視認方向が広い程（映像表示装置１の外周部）、映像表示装置１の面輝度が低下するのは、図９に示すように、発光表示素子４自体の特性が指向特性を有している為である。このような発光表示素子４の特性を指向特性と呼ぶ。
【００２７】
映像表示装置１の視認角度の変更方法を説明する。図１０は映像表示装置の視認角度の変更を説明する図である。一つの大型の映像表示装置１に対し、複数の視認方向の異なる観衆を収容できるＡスタンド２５、Ｂスタンド２６、Ｃスタンド２７が設置されており、Ｂスタンド２６を重要視する場合はＢスタンド２６に対応する視認方向２３の光度補正データを設定する。また、Ａスタンド２５に重要な人物がふくまれており、Ａスタンド２５に対して映像品位を高めたい場合は、Ａスタンド２５に対する視認方向２２の角度に対応する光度補正データを選択する。Ｃスタンド２７に対して映像品位を高めたい場合は、Ｃスタンド２７に対する視認方向２４の角度に対応する光度補正データを選択する。垂直方向については同様の考えの為、説明は省略する。なお、映像表示装置の視認角度を、Ａスタンド２５、Ｂスタンド２６、Ｃスタンド２７のいずれか一つに設定しても、他の二つのスタンドから見た場合、映像品位を高められた選択スタンドよりも映像品位は若干低下するだけで大きく低下することがなく、許容範囲である。
【００２８】
所望の代表視認方向における任意の視認方向に対しても、発光表示素子の画素毎の発光光度のばらつき補正を実施し、最良の映像表示品位を可変設定することが可能となり、映像表示面ざらつき感を低減させて、映像表示品位を向上させることが可能となる。
【００２９】
実施の形態１の映像表示装置１における表示パネル３に対する視認方向の角度をその表示パネル３毎に一定とした光度補正データを用いることができる。図１１を用いて説明する。図１１は映像表示装置１の視認角度を説明する図である。前述したように大型の映像表示装置１は、競馬場などの公営競技場、野球場、サッカー場などの大競技場に主に設置され、観客から映像表示装置１までの距離Ｄ１はおよそ、１００ｍ〜２００ｍ程度遠距離となるのが通常である。例えば、スタンドの高さＨ２が２０ｍであるスタンド上部Ｐ１や下部Ｐ２から、高さＨ１が１０ｍである映像表示装置１の上下を同時視認する角度の差異θ１、θ２は、およそ５°前後である。映像表示装置１の上下においてスタンドから視認される角度の差異θ３、θ４も、およそ５°前後である。これらの角度の差異は大きな差異ではなく、ざらつきを発生させて映像表示品位を低下させるものではない。
【００３０】
表示パネル３は図２に示したように映像表示装置１の全体の面積に対して狭い面積であ
るので、観客が表示パネル３の上下や左右を同時視認する角度の差異は図１１に示した角度の差異θ１、θ２より小さいものとなる。したがって光度補正データにおける視認方向の角度は、表示パネル３毎に同一にし、所望の最適としたい視認方向の角度で補正データを設定しておくことで、大多数の観衆に対してもほぼ最適の設定と考えることができる。すなわち大多数の観衆に対しても、ざらつきを発生せず映像表示品位を最適にすることがきる。
【００３１】
水平方向に対しても同様に考えることができる。水平方向の幅が広いスタンドに対しては、映像表示装置１の左右を同時視認する角度の差異がざらつきを発生させて映像表示品位を低下させない範囲のスタンド領域毎に考えればよい。このようなスタンド領域においては上述したように、光度補正データにおける視認方向の角度は、表示パネル３毎に同一にし、所望の最適としたい視認方向の角度で補正データを設定しておくことで、大多数の観衆に対してもほぼ最適の設定と考えることができる。すなわち大多数の観衆に対しても、ざらつきを発生せず映像表示品位を最適にすることがきる。
【００３２】
なお、映像表示装置１の上下を同時視認する角度の差異および左右を同時視認する角度の差異がともにざらつきを発生させて映像表示品位を低下させない角度内であれば、映像表示装置１内のすべての表示パネル３に対する視認方向の角度を一定とした光度補正データを用いることができる。この場合は、制御ユニット７における発光表示素子４ごとに発光光度を補正した発光表示素子駆動データを生成する指示命令が容易にすることができ、マイコン８での処理を少なくすることができる。
【００３３】
以上のように実施の形態１の映像表示装置は、発光表示素子４ごとの発光光度を補正する光度補正データを記憶する記憶手段６と、光度補正データに基づいて発光表示素子４を所定の発光光度にする発光表示素子駆動データを生成する演算制御ユニット７と、発光表示素子駆動データに基づいて発光表示素子４を駆動する駆動手段５とを備え、光度補正データは複数の視認方向における補正データを含み、演算制御ユニット７は、コントロールセンター１３からの視認方向設定情報Ｃｓｉｇに基づいて、該当する視認方向における補正データを使用して発光表示素子駆動データを生成するので、任意位置、任意視認方向、すなわち不特定多数の観客に対して、画素毎の発光表示素子における発光光度のばらつきを低減させて、映像表示品位であるざらつき感を低減させることができる。
【００３４】
光度補正データは、映像表示装置１の水平方向及び垂直方向の補正データを含むので、不揮発性メモリ６に記憶された水平方向及び垂直方向の範囲内における任意の視認方向の光度補正データを、水平方向の光度補正データ及び垂直方向の光度補正データを合成することで得ることができる。任意の視認方向の光度補正データを水平方向の光度補正データ及び垂直方向の光度補正データから合成するので、任意の視認方向の光度補正データの全てを記憶する場合に比べて不揮発性メモリ６の容量を少なくすることができる。
【００３５】
実施の形態２．
実施の形態１では、任意視認方向における映像表示品位を向上させる構成、機能について述べたが、実施の形態２の映像表示装置１は、任意の一視認方向に最適化した設定を継続させのではなく、それぞれの視認方向における映像表示品位を若干犠牲にして、複数の指定する視認方向に最適化した設定を動的に変更して、複数の指定する視認方向における映像表示品位をベターにできる。以下に説明する。
【００３６】
図１２はこの発明の実施の形態２における映像表示装置の光度補正データの動的変更順番を示す図である。図１２の列は水平方向の視認方向角度であり、行は垂直方向の視認方向角度である。行および列に記載された数字は、光度補正データを使用する順番を示している。図１２の例では、初めに光度補正データ（水平方向、垂直方向）として交点光度補
正データ（−６０°、＋２０°）を使用する。所定の周期Ｔが経過した後に、光度補正データを２番目の交点光度補正データ（−４０°、＋２０°）に変更する。所定の周期Ｔが経過する度に光度補正データを順番にしたがって変更し、４２番目の交点光度補正データ（−６０°、−３０°）に至る。その後は１番目に戻って順次繰り返す。光度補正データの変更はマイコン８によって実行される。図１２のような光度補正データの変更順番を記載した周期変更テーブル（早い周期、遅い周期等）が、マイコン８にて実行されるプログラムに実装される。プログラムは選択した周期変更テーブルにしたがって、光度補正データを演算制御器１１にセットする。なお、マイコン８への周期変更テーブルの選択はコントロールセンター１３の指示により行う。
【００３７】
変更順番の設定は、変更するデータの変化率が少ないようにする。１番目から７番目の変更は垂直方向が同一の＋２０°であり、水平方向を変更する。７番目から８番目の変更は、水平方向は＋６０°で同一のままであり、垂直方向のみを変更する。８番目から１４番目の変更は垂直方向が同一の＋１０°であり、水平方向を変更する。以下同様に変更する。したがって、映像表示装置を見ているそれぞれの観客に、映像品位が大きく変化したと認識させることなく、ベターな映像表示品位を提供することができる。
【００３８】
光度補正データを変更する周期Ｔについて説明する。周期Ｔが早い場合の例として、図１２の１番目から４２番目までの変更を１６．６６ｍｓ以下（６０Ｈｚ以上）で実行する。この場合の周期Ｔは１６．６６ｍｓ／４２以下である。光度補正データを１６．６６ｍｓ／４２以下の周期Ｔで変更することで、映像のフリッカー現象を抑制しながら、全視認方向にベターな映像表示品位であるざらつき感を低減させることができる。人間は表示画面の書き換え頻度であるリフレッシュレートが低くなると、具体的には６０Ｈｚ以下の低いリフレッシュレートの映像に対してフリッカー現象を認識する。そこで、光度補正データのセット（１番から４２番）の全てのデータ変更を６０Ｈｚ以上の周波数で行い、変更された光度補正データに基づいた表示画面の書き換えを行うことでフリッカー現象を抑制することができる。
【００３９】
周期Ｔは遅くすることもできる。例えば、周期Ｔを１０ｓとし、水平−２０°、０°、＋２０°、垂直＋１０°、０°、−１０°の計９箇所と少ない設定で変更する。光度補正データの変更は前述した早い周期に比べて遅くなるが、表示画面の書き換えは６０Ｈｚ以上で行うことで、映像のフリッカー現象を抑制することができる。この場合は、任意の観客に対してベストな映像表示品位の状態を比較的長くしながら、全視認方向にベターな映像表示品位とすることができる。
【００４０】
以上のように実施の形態２の映像表示装置１は、映像表示装置１の全て視認方向を動的に変更し、それぞれの視認方向の光度補正データに基づいて発光表示素子４の発光光度を補正することで、全視認方向にベターな映像表示品位であるざらつき感を低減させることができる。
【００４１】
実施の形態３．
実施の形態３では、実施の形態１または２の映像表示装置１に適用する光度補正データを生成する光度補正データ生成装置および光度補正データ生成方法について説明する。映像表示装置１を組み上げる前に、表示パネル３毎に光度補正データを生成する。図１３はこの発明の実施の形態３における映像表示装置の光度補正データの生成方法を説明する図である。表示パネル３をパネル台３７（図１４参照）に固定し、表示パネル３の表示面に対向するようにカメラ１２を配置する。カメラ１２は発光表示素子４の発光光度を測定する光度測定手段である。矢印２８は測定方向Ａを示し、矢印２９、３０はそれぞれ測定方向Ｂ、測定方向Ｃを示す。表示パネル３またはカメラ１２の一方を移動させ、すなわち表示パネル３とカメラ１２とを所定の相対位置に移動させて、発光表示素子４の発光光度を
測定する。全視認方向に対応する相対位置に表示パネル３とカメラ１２とを移動させて、発光表示素子４の発光光度を測定することで、発光表示素子４の全視認方向に対して発光光度を収集することができる。
【００４２】
表示パネル３を移動させる場合を説明する。図１４は映像表示装置の光度補正データの生成装置の構成を示す図である。手順１として、コンピュータ３４の指示により移動手段であるパネル移動装置３５で表示パネル３を移動させて、発光表示素子４の光度測定方向を測定対象の発光表示素子４に対して水平方向及び垂直方向の角度を所定の角度に設定する。手順２として、コンピュータ３４の指示により制御ユニット７から表示パネル３の表示素子ドライバ５に、発光表示素子４を発光させるテスト信号を送信する。手順３として、カメラ１２は測定対象の発光表示素子４の発光光度を測定し、コンピュータ３４に測定データを送信する。コンピュータ３４は測定データ及び発光表示素子４の目標光度に基づいて（３）式を用いて光度補正データを演算し、制御ユニット７を経由して不揮発性メモリ６に光度補正データを記憶させる。その後に手順１に戻って次の測定角度に変更して手順２、手順３を実行する。対象の発光表示素子４に対する全視認方向の光度補正データが生成された後に、他の発光表示素子４に測定対象を変更し、光度補正データの生成を行う。ここでコンピュータ３４は、移動手段を制御する移動制御手段であり、制御ユニット７に指令を出す発光パネル制御手段であり、光度補正データを演算する演算手段である。
【００４３】
図１５は映像表示装置の光度指向特性を説明する図であり、２種類の光度特性を持つ発光表示素子Ａ、Ｂの補正前と補正後の指向特性のイメージを示す。光度特性３１は発光表示素子Ａの補正前の特性であり、光度特性３２は発光表示素子Ｂの補正前の特性である。光度特性３３は発光表示素子Ａ及びＢの補正後の特性である。補正によって発光光度の指向性を一致させる範囲は、大型の映像表示装置の視認方向仕様の範囲である。例えば、水平方向については、左右方向に±６０°であり、垂直方向については、見上げ（マイナス表記とする）方向に−３０°、見下げ方向に＋１５°である。補正後には任意視認方向、すなわち、視認特性角度に関しては、同じ特性とすることができる。
【００４４】
以上のように実施の形態３の光度補正データ生成装置および光度補正データ生成方法は、映像表示装置１の光度補正データを高精度に生成することができる。この高精度の光度補正データを用いることで、映像表示装置１は、任意位置、任意視認方向、すなわち不特定多数の観客に対して、画素毎の発光表示素子における発光光度のばらつきを低減させて、映像表示品位であるざらつき感を低減させることができる。
【００４５】
なお、光度補正データを不揮発性メモリ６に記憶する際に、１つの視認方向に対する光度補正データが生成される度に記憶する例で説明したが、全視認方向の光度補正データが生成された後に、一括して光度補正データを不揮発性メモリ６に記憶しても構わない。また、所定のデータ数に達してから、光度補正データを不揮発性メモリ６に記憶しても構わない。
【００４６】
表示パネル３を移動させる場合を説明したが、カメラ１２を移動させても構わない。図１６は映像表示装置の光度補正データの生成装置の他の構成を示す図である。上述の光度補正データ生成方法において、コンピュータ３４の指示によりカメラ移動装置３６でカメラ１２を移動させて、発光表示素子４の光度測定方向を測定対象の発光表示素子４に対して水平方向及び垂直方向の角度を所定の角度に設定する（手順１）。他の手順は上述したものと同様である。
【産業上の利用可能性】
【００４７】
この発明に係る映像表示装置、光度補正データ生成装置および光度補正データ生成方法は、競馬場などの公営競技場、野球場、サッカー場等のスタジアム等に設置される大画面
の映像表示装置に好適に適用できる。
【符号の説明】
【００４８】
１  映像表示装置                  ２  表示モジュール
３  表示パネル                    ４  発光表示素子
５  表示素子ドライバ              ６  不揮発性メモリ
７  制御ユニット                  １２  カメラ
１３  コントロールセンター        ３４  コンピュータ
３５  パネル移動装置              ３６  カメラ移動装置
３７  パネル台                    Ｃｓｉｇ  設定情報
【図１】
2011008002.tif 000003
【図２】
2011008002.tif 000004
【図３】
2011008002.tif 000005
【図４】
2011008002.tif 000006
【図５】
2011008002.tif 000007
【図６】
2011008002.tif 000008
【図７】
2011008002.tif 000009
【図８】
2011008002.tif 000010
【図９】
2011008002.tif 000011
【図１０】
2011008002.tif 000012
【図１１】
2011008002.tif 000013
【図１２】
2011008002.tif 000014
【図１３】
2011008002.tif 000015
【図１４】
2011008002.tif 000016
【図１５】
2011008002.tif 000017
【図１６】
2011008002.tif 000018